(57)【要約】【課題】遠く離れた場所にいる使用者が、照明を点灯または消灯させた場合、確実に照明が点灯または消灯したことを確認することができる無線通信装置を提供する。【解決手段】家庭内の赤外線受光器を備えた照明機器７を制御する赤外線信号出力装置２と、外部通信網１１に接続された無線親機８と電波１０を用いて通信する無線送受信機６と、宅外から照明機器７を遠隔制御する前とその一定時間後の部屋内の照度を検知する照度検知手段３と、照度の変化から遠隔制御が成功したかを判定する遠隔制御結果判定手段４と、遠隔制御の結果を使用者に通報する遠隔制御結果通報手段５を備えたものである。これによって、遠く離れた場所にいる使用者が、留守宅の防犯対策などの目的で照明を点灯または消灯させた場合、確実に照明が点灯または消灯したことを確認することができる。【選択図】図１
2006339740.tif 000002
【特許請求の範囲】
【請求項１】
家庭内の赤外線受光器を備えた照明機器を制御する赤外線信号出力装置と、外部通信網に接続された無線親機と電波を用いて通信する無線送受信機と、宅外から照明機器を遠隔制御する前とその一定時間後の部屋内の照度を検知する照度検知手段と、照度の変化から遠隔制御が成功したかを判定する遠隔制御結果判定手段と、遠隔制御の結果を使用者に通報する遠隔制御結果通報手段を備えた無線通信装置。
【請求項２】
駆動電源を電池とし、遠隔制御結果通報手段は、宅外から照明機器を遠隔制御が失敗した場合のみ、使用者に通報するようにした請求項１に記載の無線通信装置。
【請求項３】
遠隔制御結果判定手段は、点灯遠隔制御する前とその一定時間後の照度の変化が無い場合、ある一定の照度以下の場合のみ制御失敗と判定するようにした請求項１または２に記載の無線通信装置。
【請求項４】
遠隔制御結果判定手段は、消灯遠隔制御する前とその一定時間後の照度の変化が無い場合、消灯制御の場合においては制御失敗と判定しないようにした請求項１〜３のいずれか１項に記載の無線通信装置。
【請求項５】
遠隔制御結果判定手段は、点灯遠隔制御時の一定の照度判定値を、過去の成功した点灯遠隔制御後の照度値を元に、設置場所により最適値に更新するようにした請求項１〜４のいずれか１項に記載の無線通信装置。
【請求項６】
赤外線信号出力装置は、遠隔制御する前とその一定時間後の照度の変化が無い場合、再度赤外線信号を送信して制御を試みるようにした請求項１〜５のいずれか１項に記載の無線通信装置。
【発明の詳細な説明】
【技術分野】
【０００１】
本発明は、宅外から照明機器の遠隔制御を、赤外線信号を用いて通信する無線通信装置に関するものである。
【背景技術】
【０００２】
近年、エアコンなどの白物家電機器や侵入センサーなどのセキュリティ機器に無線通信を行う子機を接続し、家庭内に設置された親機であるホームコントローラと無線で通信を行い、前記ホームコントローラを介して携帯電話やサービスセンターと接続し、家の外よりエアコンなどの機器を制御したり、家の中のセキュリティ情報を、携帯電話を介して外出中の家人に報知したりする家庭内ネットワークシステムが開発されてきている。前記システムで照明機器の制御を行う方法の一例としては、赤外線リモコンで制御可能な赤外線受光器を備えた照明機器を、赤外線通信装置を備えた無線子機の出す赤外線信号で制御するといったものがある。
【０００３】
一方、照明機器の制御を行い、部屋の照度を検知し照明機器の異常の通報を行う従来技術としてエレベーターの照明監視装置がある（例えば、特許文献１参照）。
【特許文献１】特許第３５０９７７０号公報
【発明の開示】
【発明が解決しようとする課題】
【０００４】
しかしながら、赤外線通信装置を備えた無線子機の出す赤外線信号で、照明機器を遠隔制御する従来の構成では、照明機器に工事や改造が不要であらゆるメーカーの機器に対応できるという利点はあるものの、赤外線リモコンのように一方通行で使用者が照明機器の傍にいて操作する方法を応用しているため、宅外から点灯あるいは消灯の遠隔制御を行っても、宅内の照明器具が本当に点灯あるいは消灯したか、遠く離れた場所にいる使用者には知ることができない。これは特に留守宅の防犯対策などの目的で照明を点灯させる使用者にとっては不安を与えるものであるという課題があった。
【０００５】
また、照明機器の異常の検知を行い通報するエレベーターの照明監視装置の従来技術を、前記無線子機に応用することは有効であるが、エレベーター監視という目的と使用法の違いや、一般に窓のない密室を想定した照明機器の異常検出方法であるためから、誤検出の恐れがあるという課題があった。
【０００６】
本発明は、前期従来の課題を解決するもので、遠く離れた場所にいる使用者が、留守宅の防犯対策などの目的で照明を点灯または消灯させた場合、確実に照明が点灯または消灯したことを確認することができる無線通信装置を提供することを目的とする。
【課題を解決するための手段】
【０００７】
前記従来の課題を解決するために、本発明の無線通信装置は、家庭内の赤外線受光器を備えた照明機器を制御する赤外線信号出力装置と、外部通信網に接続された無線親機と電波を用いて通信する無線送受信機と、宅外から照明機器を遠隔制御する前とその一定時間後の部屋内の照度を検知する照度検知手段と、照度の変化から遠隔制御が成功したかを判定する遠隔制御結果判定手段と、遠隔制御の結果を使用者に通報する遠隔制御結果通報手段を備えたものである。
【０００８】
これによって、照度検知手段が宅外から照明機器を遠隔制御する前とその一定時間後の部屋内の照度を検知し、遠隔制御結果判定手段が照度の変化から遠隔制御が成功したかを判定し、遠隔制御の結果を遠隔制御結果通報手段によって使用者に通報することができるので、遠く離れた場所にいる使用者が、留守宅の防犯対策などの目的で照明を点灯または消灯させた場合、確実に照明が点灯または消灯したことを確認することができる。
【発明の効果】
【０００９】
本発明の無線通信装置は、遠く離れた場所にいる使用者が、留守宅の防犯対策などの目的で照明を点灯または消灯させた場合、確実に照明が点灯または消灯したことを確認することができる。
【発明を実施するための最良の形態】
【００１０】
第１の発明は、家庭内の赤外線受光器を備えた照明機器を制御する赤外線信号出力装置と、外部通信網に接続された無線親機と電波を用いて通信する無線送受信機と、宅外から照明機器を遠隔制御する前とその一定時間後の部屋内の照度を検知する照度検知手段と、照度の変化から遠隔制御が成功したかを判定する遠隔制御結果判定手段と、遠隔制御の結果を使用者に通報する遠隔制御結果通報手段を備えた無線通信装置とすることにより、照度検知手段が宅外から照明機器を遠隔制御する前とその一定時間後の部屋内の照度を検知し、遠隔制御結果判定手段が照度の変化から遠隔制御が成功したかを判定し、遠隔制御の結果を遠隔制御結果通報手段によって使用者に通報することができるので、遠く離れた場所にいる使用者が、留守宅の防犯対策などの目的で照明を点灯または消灯させた場合、確実に照明が点灯または消灯したことを確認することができる。
【００１１】
第２の発明は、特に、第１の発明において、駆動電源を電池とし、遠隔制御結果通報手段は、宅外から照明機器を遠隔制御が失敗した場合のみ、使用者に通報するようにしたことにより、使用者は失敗の通報がない限り、確実に遠隔制御が成功したと判断でき、かつ電池の消耗を抑えることができる。
【００１２】
第３の発明は、特に、第１または第２の発明において、遠隔制御結果判定手段は、点灯遠隔制御する前とその一定時間後の照度の変化が無い場合、ある一定の照度以下の場合のみ制御失敗と判定するようにしたことにより、最初から点灯していた場合に、失敗と誤判定することを防止することができる。
【００１３】
第４の発明は、特に、第１〜第３のいずれか１つの発明において、遠隔制御結果判定手段は、消灯遠隔制御する前とその一定時間後の照度の変化が無い場合、消灯制御の場合においては制御失敗と判定しないようにしたことにより、最初から消灯していた場合や、照明機器の設置場所が昼間の明るい部屋であった場合に失敗と誤判定することを防止することができる。
【００１４】
第５の発明は、特に、第１〜第４のいずれか１つの発明において、遠隔制御結果判定手段は、点灯遠隔制御時の一定の照度判定値を、過去の成功した点灯遠隔制御後の照度値を元に、設置場所により最適値に更新するようにしたことにより、遠隔制御結果判定の精度がより向上し、誤判定を防止することができる。
【００１５】
第６の発明は、特に、第１〜第５のいずれか１つの発明において、赤外線信号出力装置は、遠隔制御する前とその一定時間後の照度の変化が無い場合、再度赤外線信号を送信して制御を試みるようにしたことにより、赤外線信号の一部が欠けた場合などに再出力することによって、遠隔制御の失敗を減少させることができる。
【００１６】
以下、本発明の実施の形態について、図面を参照しながら説明する。なお、この実施の形態によって本発明が限定されるものではない。
【００１７】
（実施の形態１）
図１は、本発明の実施の形態１における無線通信装置を示すものである。
【００１８】
図に示すように、無線通信装置を構成する無線子機１は、赤外線信号９により家庭内の赤外線受光器を備えた照明機器７を制御する赤外線信号出力装置（赤外線リモコン）２と、外部通信網１１に接続された無線親機８と電波１０を用いて通信する無線送受信機６と、宅外から照明機器７を遠隔制御する前とその一定時間後の部屋内の照度を検知する照度検知手段３と、照度の変化から遠隔制御が成功したかを判定する遠隔制御結果判定手段４と、遠隔制御の結果を使用者に通報する遠隔制御結果通報手段５とを備えたものである。なお、無線親機８はＩＰアダプタなどを介してＬＡＮ接続し、外部通信網（インターネット網）１１を介してサービスセンターや携帯電話などの外部装置１２と繋がっている。
【００１９】
次に、無線通信装置の動作、作用について説明する。
【００２０】
まず、使用者が宅外から照明機器７を点灯または消灯させる場合、携帯電話などから点灯または消灯の命令の通信を行う。点灯または消灯の命令は外部通信網１１を通じて、宅内の無線親機８に到達し、電波通信によって無線子機１に伝えられる。
【００２１】
無線子機１の赤外線信号出力装置２は点灯または消灯の命令を赤外線信号に変換し、照明機器７へ向けて出力する。照度検知手段３は、赤外線信号出力前と出力後、照明機器７の点灯または消灯が完了する一定時間後の照度を計測する。本実施の形態では、照度検知手段３は光センサーを使用している。遠隔制御結果判定手段４は前記両照度を比較し、点灯命令の時ある一定値以上の照度の上昇が、消灯命令の時ある一定値以上の照度の降下があれば成功と判定し、ない場合は失敗と判定する。遠隔制御結果通報手段５は、この判定結果を無線送受信機６、無線親機８を通じて宅外の使用者の携帯電話など、外部装置１２に伝える。
【００２２】
これによって、遠く離れた場所にいる使用者が、留守宅の防犯対策などの目的で照明を点灯または消灯させた場合、確実に照明が点灯または消灯したことを確認することができる。これは、ホームネットワークシステムの本来のセキュリティ機能を満足させるもので、照明機器に工事や改造が不要で、あらゆるメーカーの機器に対応できるという赤外線制御の構成の利点を生かしつつ、使用者の不安を解消することができる。
【００２３】
（実施の形態２）
次に、本発明の実施の形態２における無線通信装置について説明する。
【００２４】
本実施の形態においては、駆動電源を電池とし、遠隔制御結果通報手段５は、宅外から照明機器７を遠隔制御が失敗した場合のみ、使用者に通報するようにしたものである。
【００２５】
このように、無線子機１の駆動電源を、電源工事の不要な電池としたものである。遠隔制御結果通報手段５は、照明機器７の遠隔制御が成功した場合は、使用者に通報しない。失敗した場合のみ通報を行う。これによって、使用者は失敗の通報がない限り、確実に遠隔制御が成功したと判断でき、かつ電池の消耗を抑えることができる。
【００２６】
（実施の形態３）
次に、本発明の実施の形態３における無線通信装置について説明する。
【００２７】
本実施の形態においては、遠隔制御結果判定手段４は、点灯遠隔制御する前とその一定時間後の照度の変化が無い場合、ある一定の照度以下の場合のみ制御失敗と判定するようにしたものである。
【００２８】
このように、遠隔制御結果判定手段４が、赤外線信号出力前と出力後一定時間後の照度を比較して、点灯命令の時ある一定値以上の照度の上昇がない場合、出力後の照度がある一定値以下の場合のみ遠隔制御失敗とするものである。これによって、最初から点灯していた場合に、失敗と誤判定することを防止することができる。
【００２９】
（実施の形態４）
次に、本発明の実施の形態４における無線通信装置について説明する。
【００３０】
本実施の形態においては、遠隔制御結果判定手段４は、消灯遠隔制御する前とその一定時間後の照度の変化が無い場合、消灯制御の場合においては制御失敗と判定しないようにしたものである。
【００３１】
このように、最初から消灯していた場合や、照明機器７の設置場所が昼間の明るい部屋であった場合に失敗と誤判定することを防止することができる。この場合、消灯命令時には失敗を検出できなくなるが、無線子機１や照明機器７の故障は次回の点灯命令時に検出することで対応する。あるいは設置場所が照明機器７以外の影響を受けない（例えば、窓がない、小さい）と確認できれば、点灯制御同様、赤外線信号出力後の照度がある一定値以上の場合のみ遠隔制御失敗とするように、動作設定を変更することも可能である。
【００３２】
（実施の形態５）
次に、本発明の実施の形態５における無線通信装置について説明する。
【００３３】
本実施の形態においては、遠隔制御結果判定手段４は、点灯遠隔制御時の一定の照度判定値を、過去の成功した点灯遠隔制御後の照度値を元に、設置場所により最適値に更新するようにしたものである。
【００３４】
このように、照度判定値を最適値に更新することにより、遠隔制御結果判定の精度がより向上し、誤判定を防止することができる。
【００３５】
（実施の形態６）
次に、本発明の実施の形態６における無線通信装置について説明する。
【００３６】
本実施の形態においては、赤外線信号出力装置２は、遠隔制御する前とその一定時間後の照度の変化が無い場合、再度赤外線信号を送信して制御を試みるようにしたものである。
【００３７】
このように、再度赤外線信号を送信して制御を試みることにより、赤外線信号の一部が欠けた場合などに再出力することによって、遠隔制御の失敗を減少させることができる。また常に複数回出力する同様の装置と比較しても、失敗の可能性のある場合のみ再出力するので、消費電力を抑えることができ、電池駆動などの場合に有効である。
【産業上の利用可能性】
【００３８】
以上のように、本発明にかかる無線通信装置は、遠く離れた場所にいる使用者が、留守宅の防犯対策などの目的で照明を点灯または消灯させた場合、確実に照明が点灯または消灯したことを確認することができるので、宅内の機器を遠隔制御するホームネットワークシステム全般にも適用することができる。
【図面の簡単な説明】
【００３９】
【図１】本発明の実施の形態における無線通信装置の構成図
【符号の説明】
【００４０】
１  無線子機
２  赤外線信号出力装置
３  照度検知手段
４  遠隔制御結果判定手段
５  遠隔制御結果通報手段
６  無線送受信機
７  照明機器
８  無線親機
【図１】
2006339740.tif 000003